(57)【特許請求の範囲】
【請求項１】
配量弁（２２）が電磁石（２３）により操作される電磁弁として形成され、電磁石（２３）は弁ニードルと固定結合されている電機子と協働し、電磁石（２３）には、さらに、内燃機関（１０）の排気領域（１３）内に供給されるべき反応剤または反応剤原料の配量を決定するパルス幅変調配量信号（ｓ＿ＤＶ）が供給される、配量弁（２２）の作動方法において、
配量弁（２２）が完全に開放されている最小開放期間（ｔｉ＿Ｄ＿ｍｉｎ）が、配量弁（２２）の開放期間（ｔｉ＿Ｄ）が最小開放期間（ｔｉ＿Ｄ＿ｍｉｎ）を下回る場合には、反応剤、または反応剤原料がもはや噴霧として噴射されず、その代わりに、液滴が発生し、液滴が一部配量弁（２２）に残るか、または不完全な噴霧あるいは液滴として排気領域（１３）に到達し、及び、配量弁（２２）の開放期間（ｔｉ＿Ｄ）が最小開放期間（ｔｉ＿Ｄ＿ｍｉｎ）以上である場合には、前記配量において噴霧が発生し、一部配量弁（２２）に残る液滴は生成されないように、決定されること、
配量弁（２２）の開放期間（ｔｉ＿Ｄ）が、前記最小開放期間（ｔｉ＿Ｄ＿ｍｉｎ）以上に制限されることにより、前記配量において噴霧が発生し、一部配量弁（２２）に残る液滴は生成されないように配量弁（２２）が作動されること、及び
最小開放期間（ｔｉ＿Ｄ＿ｍｉｎ）が、反応剤の作動圧力（ｐ）の関数として決定されることを特徴とする配量弁の作動方法。
【請求項２】
配量弁（２２）が電磁石（２３）により操作される電磁弁として形成され、電磁石（２３）は弁ニードルと固定結合されている電機子と協働し、電磁石（２３）には、さらに、内燃機関（１０）の排気領域（１３）内に供給されるべき反応剤または反応剤原料の配量を決定するパルス幅変調配量信号（ｓ＿ＤＶ）が供給される、配量弁（２２）の作動方法において、
配量弁（２２）が完全に開放されている最小開放期間（ｔｉ＿Ｄ＿ｍｉｎ）が、配量弁（２２）の開放期間（ｔｉ＿Ｄ）が最小開放期間（ｔｉ＿Ｄ＿ｍｉｎ）を下回る場合には、反応剤、または反応剤原料がもはや噴霧として噴射されず、その代わりに、液滴が発生し、液滴が一部配量弁（２２）に残るか、または不完全な噴霧あるいは液滴として排気領域（１３）に到達し、及び、配量弁（２２）の開放期間（ｔｉ＿Ｄ）が最小開放期間（ｔｉ＿Ｄ＿ｍｉｎ）以上である場合には、前記配量において噴霧が発生し、一部配量弁（２２）に残る液滴は生成されないように、決定されること、
配量弁（２２）の開放期間（ｔｉ＿Ｄ）が、前記最小開放期間（ｔｉ＿Ｄ＿ｍｉｎ）以上に制限されることにより、前記配量において噴霧が発生し、一部配量弁（２２）に残る液滴は生成されないように配量弁（２２）が作動されること、及び
特定の時点（ｔｉ２、ｔｉ６、ｔｉ８）における開放期間（ｔｉ＿Ｄ）の開始が、電磁石（２３）のインダクタンス変化により決定されることを特徴とする配量弁の作動方法。
【請求項３】
前記インダクタンス変化が、電磁石（２３）内を流れる電流（ｉ）の評価により決定されることを特徴とする請求項２に記載の作動方法。
【請求項４】
請求項１ないし３のいずれかに記載の作動方法を実行するために用意された少なくとも１つの制御装置（２０）が設けられていることを特徴とする配量弁（２２）の作動装置。
【請求項５】
配量弁（２２）が燃料噴射弁であることを特徴とする請求項４に記載の作動装置。
【請求項６】
前記反応剤原料として尿素水溶液が使用されていることを特徴とする請求項４に記載の作動装置。
【請求項７】
コンピュータで実行されるとき、請求項１ないし３のいずれかに記載の作動方法の全てのステップを実行するコンピュータ・プログラム。
【請求項８】
前記プログラムが、コンピュータ上または制御装置（２０）で実行されるとき、請求項１ないし３のいずれかに記載の作動方法を実行するために、マシンが読み取り可能な媒体に記憶されているプログラム・コードを有するコンピュータ・プログラム製品。
【発明の詳細な説明】
【技術分野】
【０００１】
本発明は、独立請求項に記載の、内燃機関排気領域内に反応剤を配量する反応剤配量弁の作動方法および方法を実行するための装置に関するものである。
【０００２】
コンピュータ・プログラム並びにコンピュータ・プログラム製品もまた本発明の対象である。
【背景技術】
【０００３】
ドイツ特許公開第１９９０３４３９号に、内燃機関の排気領域内にＳＣＲ触媒（選択接触還元触媒）が配置され、ＳＣＲ触媒は内燃機関の排気ガス内に含まれている窒素酸化物を反応剤により窒素に還元する、内燃機関の運転方法および装置が開示されている。反応剤ないしは反応剤原料の配量は、例えば回転速度および噴射燃料量のような内燃機関の運転特性変数の関数として行われることが好ましい。さらに、配量は、例えば排気温度またはＳＣＲ触媒の作動温度のような排気ガス特性変数の関数として行われることが好ましい。
【０００４】
反応剤として、例えば還元剤であるアンモニアが使用され、アンモニアは反応剤原料としての尿素水溶液から得ることができる。還元剤または原料の配量は正確に決定されなければならない。配量が少なすぎると、その結果、ＳＣＲ触媒内において窒素酸化物はもはや完全には還元可能ではない。配量が多すぎると反応剤溢流を形成し、反応剤溢流は、一方で、不必要に高い反応剤消費量を形成し、他方で、反応剤の性質の関数として、不快な臭気トラブルを発生させることがある。
【０００５】
欧州特許公開第１０２４２５４号により、内燃機関の運転変数、例えば燃料噴射量および回転速度の少なくともいずれかから出発して、場合により、例えば排気温度のような排気ガスの少なくとも１つの特性変数から出発して、反応剤流量ないしは反応剤配量量の決定を行うことができる。
【０００６】
ドイツ特許公開第１９６３６５０７号に、排気温度を上昇させるために、ないしは少なくとも１つの構成部品を加熱させるために、排気領域内において発熱反応すべき被酸化性排気ガス成分を内燃機関の排気領域内に供給する少なくとも１つの燃料後噴射が行われる、内燃機関の制御方法が開示されている。燃料後噴射の範囲内において、燃料噴射弁によりもはや実行可能ではないほどの僅かな燃料量のみが噴射されるべき場合、ｎ回目の燃料配量ごとにのみ燃料後噴射が行われるように設計されている。
【０００７】
ドイツ特許公開第１０３０１８２１号に、所定の周期および特定のデューティ・レシオを有する、モータの出力または回転速度を決定するパルス幅変調信号による電動機の操作方法が開示されている。パルス幅変調信号の周期は、デューティ・レシオの関数として変化される。これにより、可能な各々のデューティ・レシオに対して、電力損失に関する要求および電力障害に関する要求が保持されるように周期が選択されることが保証される。
【０００８】
欧州特許公開第８４０４３０号に、三相パルス幅変調信号により操作されるサーボ駆動装置が開示されている。投入期間と遮断期間との間に不感時間が設けられ、この場合、固定設定された周期において、あらゆる運転状態において、投入期間の変化が結果として遮断期間の対応の変化をもたらさないように、この不感時間が可変である。これにより、パルス幅変調信号の固定設定周期において解像度のより高いデューティ・レシオが達成可能である。
【０００９】
ドイツ特許第３７１０４６７号に、電磁石により包囲されたコアと、弁ニードルに固定結合されている、コアと協働する電機子とを含む燃料噴射弁が開示されている。電磁石を投入したとき、電磁石は電機子を吸引し、且つこれにより、電磁石が遮断されるまでの間、加圧された燃料を配量するために弁は開放される。
【００１０】
ドイツ特許第３４２６７９９号は、電磁弁がその時期以降完全に開放されている電磁弁の開放時期の決定方法を開示している。開放時期はインダクタンス変化に基づいて決定され、インダクタンス変化は、電磁石を投入したのちの、電磁石の電機子と固定結合されている弁ニードルの吸引運動に基づく幾何形状比の変化により得られる。
【発明の開示】
【発明が解決しようとする課題】
【００１１】
特に配量量ないしは配量速度が小さいときにできるだけ正確な配量を可能にする、内燃機関の排気領域内に反応剤または反応剤原料を配量する配量弁の作動方法、およびその方法を実施するための装置を提供することが本発明の課題である。
【課題を解決するための手段】
【００１２】
独立請求項の特徴を有する本発明による方法は、きわめて大きな範囲内において決定可能な所定の各配量量ないしは各配量速度において、正確な噴霧が発生することが常に保証されているという利点を有している。これにより、排気領域内に配置されている触媒が、排気ガス内に含まれているＮＯｘを転化するために直接必要とするか、または触媒に対してまさに適した反応剤への転化後に必要とする反応剤ないしは反応剤原料の正確な配量が保証される。特に、本発明の方法により、反応剤原料が尿素水溶液であるときに配量弁を閉塞させることがある反応剤の晶出が回避される。
【００１３】
本発明による方法の有利な変更態様および形態が従属請求項から得られる。
【００１４】
有利な形態は、その関数として配量弁の最小開放期間が決定される変数の考慮に関するものである。最小開放期間は、反応剤圧力および排気背圧の少なくともいずれかの関数として決定可能である。さらに、最小開放期間が配量弁の電磁石の作動電圧の関数として決定されるように設計されていてもよい。さらに、代替態様または追加態様として、最小開放期間が、排気温度に対する尺度および排気ガス質量流量に対する尺度および配量弁および／または反応剤の作動温度に対する尺度の少なくともいずれかの関数として決定されるように設計されていてもよい。
【００１５】
他の形態は、配量弁が完全に開放されている状態が、電磁石により操作される配量弁の開放過程におけるインダクタンス変化により決定されるように設計されている。これにより、最小開放期間が正確に決定可能である。インダクタンス変化は、簡単な方法として、電磁石内を流れる測定電流から決定可能である。
【００１６】
方法を実行するための本発明による装置は、はじめに、方法を実行するために特に用意された制御装置に関するものである。
【００１７】
本発明による装置の特に有利な形態は、配量弁として、従来技術から既知の、大量生産によりきわめて安価なガソリン噴射弁が使用されるように設計されている。
【００１８】
他の形態は、配量のために、反応剤原料として尿素水溶液が使用されるように設計されている。
【００１９】
制御装置は、方法ステップがコンピュータ・プログラムとしてその中に記憶されている少なくとも１つの電気メモリを含むことが好ましい。
【００２０】
本発明によるコンピュータ・プログラムは、それがコンピュータ上で実行されるとき、本発明による方法の全てのステップが実行されるように設計されている。
【００２１】
マシンが読取り可能な媒体上に記憶されているプログラム・コードを有する本発明によるコンピュータ・プログラム製品は、プログラムがコンピュータ上または制御装置内で実行されるとき、本発明による方法を実行する。
【００２２】
本発明による方法の他の有利な変更態様および形態が他の従属請求項から得られる。本発明の実施例が図面に示され且つ以下の記載において詳細に説明される。
【発明を実施するための最良の形態】
【００２３】
図１は内燃機関１０を示し、内燃機関１０の吸気領域１１内に空気センサ１２が配置され、またＮＯｘ質量流量ｍｓ＿ＮＯｘ、排気ガス質量流量ｍｓ＿Ａｂｇおよび排気温度ｔｅ＿Ａｂｇが発生する内燃機関１０の排気領域１３内に、配量装置１４、排気温度センサ１５並びに触媒１６が配置されている。
【００２４】
制御装置２０に、空気センサ１２は空気信号ｍｓ＿Ｌを、内燃機関１０は回転速度ｎを、排気温度センサ１５は測定排気温度ｔｅ＿Ａｂｇ＿Ｍｅｓを供給する。制御装置２０は、燃料配量装置２１に燃料信号ｍ＿Ｋを供給する。
【００２５】
配量装置１４に配量弁２２が付属され、配量弁２２は電磁石２３により操作される。配量弁２２に、制御装置２０から提供された配量信号ｓ＿ＤＶが供給され、配量信号ｓ＿ＤＶは電磁石２３を操作する。電磁石２３内を流れる電流ｉは、電流センサ２４により測定され且つ測定電流ｉ＿Ｍｅｓとして制御装置２０に供給される。配量されるべき反応剤ないしは反応剤原料は作動圧力ｐを有している。
【００２６】
制御装置２０はＮＯｘ質量流量決定手段３０を含み、ＮＯｘ質量流量決定手段３０に、空気信号ｍｓ＿Ｌ並びに内燃機関１０の負荷に対する尺度Ｍｄが供給され、ＮＯｘ質量流量決定手段３０は、計算ＮＯｘ質量流量ｍｓ＿ＮＯｘ＿Ｓｉｍを提供する。
【００２７】
制御装置２０はさらに弁ニードル位置決定手段３１を含み、弁ニードル位置決定手段３１は、測定電流ｉ＿Ｍｅｓから、配量弁開放時期ｔｉ＿ＢＩＰ並びに配量弁閉鎖時期ｔｉ＿ＥＩＰを決定する。配量弁開放時期ｔｉ＿ＢＩＰおよび配量弁閉鎖時期ｔｉ＿ＥＩＰの間に配量弁開放期間ｔｉ＿Ｄが存在する。
【００２８】
弁ニードル位置決定手段３１は、配量信号決定手段３５に配量弁開放時期ｔｉ＿ＢＩＰを供給する。配量弁決定手段３５に、さらに、計算ＮＯｘ質量流量ｍｓ＿ＮＯｘ＿Ｓｉｍ、配量弁作動温度ｔｅ＿ＤＶ、電磁石作動電圧ｕ、排気温度ｔｅ＿Ａｂｇ並びに所定の最小配量弁開放期間ｔｉ＿Ｄ＿ｍｉｎが供給される。これらから配量信号ｓ＿ＤＶが決定される。
【００２９】
配量信号決定手段３５は配量信号ｓ＿ＤＶをパルス幅変調信号として提供し、配量信号ｓ＿ＤＶは、図２による以下の機能説明の範囲内で詳細に説明される。
【００３０】
内燃機関１０の運転において、特に内燃機関１０の負荷に対する尺度Ｍｄの関数として排気領域１３内にＮＯｘ質量流量ｍｓ＿ＮＯｘが発生可能であり、ＮＯｘ質量流量ｍｓ＿ＮＯｘは法規制に基づいて所定の値を超えてはならない。内燃機関１０が自動車内において駆動エンジンとして使用されているかぎり、単位時間当たりまたは特に単位走行距離当たりのＮＯｘ質量を表わすＮＯｘ質量流量ｍｓ＿ＮＯｘの積分は、ＮＯｘ質量流量ｍｓ＿ＮＯｘと同じ意味である。
【００３１】
内燃機関１０の負荷に対する尺度Ｍｄは、例えば、詳細には示されていない加速ペダルの位置から求められてもよい。内燃機関１０の負荷に対する尺度Ｍｄは、例えば、内燃機関１０の１サイクル間の少なくとも１つの燃料噴射時期と燃料配量装置２１の配量されるべき量とを特定する燃料信号ｍ＿Ｋ内にも現われている。図示の実施例においては、ＮＯｘ質量流量決定手段３０からのＮＯｘ質量流量ｍｓ＿ＮＯｘは、空気センサ１２から提供される空気信号ｍｓ＿Ｌおよび内燃機関１０の負荷に対する尺度Ｍｄに基づいて、計算ＮＯｘ質量流量ｍｓ＿ＮＯｘ＿Ｓｉｍを提供することから出発される。
【００３２】
排気ガス内に含まれているＮＯｘは、触媒１６内において、できるだけ多く転化されるべきである。図示の実施例においては、触媒１６としてＳＣＲ触媒が設けられ、ＳＣＲ触媒は、ＮＯｘの転化を実行するために、配量装置１４を用いて排気領域１３内に供給されるべき反応剤ないしはＳＣＲ触媒１６内において有効に作用する反応剤の反応剤原料を必要とすることから出発される。
【００３３】
この実施例においては、反応剤原料として尿素水溶液が直接排気領域１３内に噴霧されることから出発され、この場合、排気領域１３内において熱分解によりアンモニアが形成され、ＳＣＲ触媒１６はアンモニアを反応剤として使用可能である。
【００３４】
反応剤は、配量弁２２から直接排気領域１３内に噴霧されてもよい。この場合、配量装置１４は、例えば取付フランジに至るまで配量弁２２と同一である。代替態様として、配量装置１４が噴霧管を含み且つ配量弁２２が排気管またはその付近に直接装着されていないように設計されていてもよい。
【００３５】
配量弁２２は電磁石２３により操作される。できるだけコスト的に有利な配量弁２２の形態は、配量弁２２として、大量生産によりきわめて安価な通常のガソリン噴射弁が使用されるように設計されている。
【００３６】
配量弁２２の簡単な形態は、電磁石２３が、投入された状態において、弁ニードルに固定結合されている電機子を吸引し、弁ニードルは、電機子の吸引された状態において、１つまたは複数の開度を提供し、これらの開度から、作動圧力ｐが作用している反応剤が噴霧されるように設計されている。
【００３７】
電磁石２３はパルス幅変調配量信号ｓ＿ＤＶにより操作され、パルス幅変調配量信号ｓ＿ＤＶは、図２の下部に詳細に示されている。はじめに、好ましくは、第１の時点ｔｉ１において開始し且つ第５の時点ｔｉ５において終了する固定された所定の周期ｔｉ＿ＰＲ＿ｃｏｎを有するパルス幅変調信号が設けられている。第１の時点ｔｉ１と第４の時点ｔｉ４との間に存在する可変投入期間ｔｉ＿Ｅ＿ｖａｒは、電磁石２３の投入期間ｔｉ＿Ｅ＿ｖａｒを決定する。可変投入期間ｔｉ＿Ｅ＿ｖａｒは、第５の時点ｔｉ５において再び開始し且つ第９の時点ｔｉ９において終了する。
【００３８】
少なくとも投入期間ｔｉ＿Ｅ＿ｖａｒの一部の間に、配量弁２２の開放期間ｔｉ＿Ｄが発生する。第４の時点ｔｉ４と第５の時点ｔｉ５との間に存在するそれに続く遮断期間ｔｉ＿Ａ＿ｖａｒ内において、電磁石２３が遮断され且つ配量弁２２が閉鎖される。次の開放期間ｔｉ＿Ｄは、第６の時点ｔｉ６において発生し且つ第９の時点ｔｉ９において終了する。以下においては、電磁石２３の遮断時期ｔｉ＿ＥＩＰは少なくとも近似的に配量弁２２の閉鎖時期と一致することから出発される。
【００３９】
好ましくはガソリン噴射弁として形成されている配量弁２２は、この適用において、通常のガソリン噴射とは異なり、単位時間当たりないしは単位走行距離当たりきわめて少ない液量を配量する。ガソリン噴射においては、例えば、５−１５リットル／１００ｋｍの量から出発されるが、反応剤配量においては、例えば、ほぼ０−２リットル／１０００ｋｍの消費量から出発されることがある。したがって、投入期間ｔｉ＿Ｅ＿ｖａｒ／遮断期間ｔｉ＿Ａ＿ｖａｒとして定義可能なパルス幅変調信号のデューティ・レシオは、それに対応する大きさの範囲内で変化する。
【００４０】
実験により、配量弁２２の特定の開放期間ｔｉ＿Ｄを下回る場合、反応剤、例えばその原料である尿素水溶液はもはや噴霧として噴射されないことが特定された。その代わりに、液滴が発生し、液滴は、一部配量弁２２に残るか、または不完全な噴霧として、あるいは特に液滴として排気領域１３内に到達する。
【００４１】
液滴の形成により、一方で、反応剤の損失が発生し、他方で、例えば尿素水溶液が晶出することが特定された。結晶は、配量弁２２における幾何形状比に影響を与え且つ噴霧の形成能力を低下させる。極端な場合、結晶は配量弁２２を閉塞させることがある。
【００４２】
実験により、配量弁２２の開放期間ｔｉ＿Ｄを最小開放期間ｔｉ＿Ｄ＿ｍｉｎに制限することによって、各配量過程において開放期間ｔｉ＿Ｄの間に正確な噴霧が形成可能となることが特定された。この場合、最小開放期間ｔｉ＿Ｄ＿ｍｉｎは、実験により、好ましくは弁タイプおよび排気領域１３内の条件の少なくともいずれかの関数として、決定可能である。設定されるべき最小開放期間ｔｉ＿Ｄ＿ｍｉｎは、一般に、技術的条件で決定される配量弁２２の最小開放期間よりも長くされる。最小開放期間ｔｉ＿Ｄ＿ｍｉｎは、例えば５ミリ秒に決定されるが、技術的条件により決定される燃料噴射弁の最小開放期間、例えば現在のガソリン噴射弁の最小開放期間は、例えば１ミリ秒であってもよい。
【００４３】
簡単な形態により、設定されるべき最小開放期間ｔｉ＿Ｄ＿ｍｉｎは、電磁石２３の最小投入期間ｔｉ＿Ｅ＿ｍｉｎに等しく設定される。第１の時点ｔｉ１における電磁石２３の投入期間ｔｉ＿Ｅ＿ｖａｒの開始と第２の時点ｔｉ２における配量弁２２の完全な開放との間に、配量弁応答時間ｔｉ＿Ａｎｓが存在する。応答時間ｔｉ＿Ａｎｓは、所定の最小開放期間ｔｉ＿Ｄ＿ｍｉｎにおいて開放期間ｔｉ＿Ｄのかなりの部分を占めることがあるので、配量弁応答時間ｔｉ＿Ａｎｓが考慮されることが好ましい。応答時間ｔｉ＿Ａｎｓの決定方法は、冒頭記載のドイツ特許第３４２６７９９号に示す従来技術から明らかである。所定の最小開放期間ｔｉ＿Ｄ＿ｍｉｎは、この場合、第２の時点ｔｉ２からカウントされ且つ第３の時点ｔｉ３において終了する。次の所定の最小開放期間ｔｉ＿Ｄ＿ｍｉｎは、第８の時点ｔｉ８において開始し且つ第１０の時点ｔｉ１０において終了する。
【００４４】
最小開放期間ｔｉ＿Ｄ＿ｍｉｎの設定により、例えば５％を下回るきわめて小さいデューティ・レシオにおいては、一定の周期ｔｉ＿ＰＲ＿ｃｏｎはもはや保持可能ではない。したがって、デューティ・レシオを小さい値に設定可能にするために、パルス幅変調信号の周期は可変周期ｔｉ＿ＰＲ＿ｖａｒとして形成するように設計されている。この場合、このとき、第３の時点ｔｉ３において開始し且つ第７の時点ｔｉ７において終了する可変遮断期間ｔｉ＿Ａ＿ｖａｒが発生する。
【００４５】
実験により、噴霧の形成が反応剤の作動圧力ｐの関数であることが特定された。したがって、有利な形態により、最小開放期間ｔｉ＿Ｄ＿ｍｉｎを反応剤の作動圧力ｐの関数として決定するように設計されている。
【００４６】
配量弁２２の電磁石２３がそれにより作動される作動電圧ｕは、電磁石２３の内部抵抗に関連して、応答時間ｔｉ＿Ａｎｓに影響を与える。したがって、有利な形態により、最小開放期間ｔｉ＿Ｄ＿ｍｉｎの特定において、作動電圧ｕを考慮するように設計されている。
【００４７】
さらに、実験により、噴霧の形成が、排気ガス質量流量ｍｓ＿Ａｂｇ、排気温度ｔｅ＿Ａｂｇ、排気背圧および配量弁２２の作動温度の関数であることが特定された。
【００４８】
したがって、最小開放期間ｔｉ＿Ｄ＿ｍｉｎの決定において、排気ガス質量流量ｍｓ＿Ａｂｇ、および排気温度ｔｅ＿Ａｂｇ、および配量弁作動温度ｔｅ＿ＤＶの少なくともいずれかが考慮されることが好ましい。
【００４９】
排気ガス質量流量ｍｓ＿Ａｂｇは、詳細には示されていない排気ガス質量流量決定手段から、少なくとも空気信号ｍｓ＿Ｌに基づき、および場合により回転速度ｎおよび場合により負荷に対する尺度Ｍｄに基づいて計算可能である。同様に、排気温度ｔｅ＿Ａｂｇは、空気信号ｍｓ＿Ｌおよび内燃機関１０の負荷に対する尺度Ｍｄから少なくとも近似的に計算可能である。図示の実施例においては、排気温度センサ１５が測定排気温度ｔｅ＿Ａｂｇ＿Ｍｅｓを提供する。配量弁２２の作動温度は、例えば、電磁石２３の内部抵抗から少なくとも近似的に計算可能である。
【００５０】
したがって、最小開放期間ｔｉ＿Ｄ＿ｍｉｎをできるだけ正確に設定可能にするために、これらの手段を用いて、配量弁応答時間ｔｉ＿Ａｎｓに対する種々の影響を考慮することが可能である。
【図面の簡単な説明】
【００５１】
【図１】図１は、本発明による方法がその中で実行される技術的周辺図を示す。
【図２】図２は、配量弁開放期間およびパルス幅変調配量信号の時間線図を示す。
【図１】
0005612855.tif 000002
【図２】
0005612855.tif 000003